(57)【特許請求の範囲】
【請求項１】
入力映像信号がテレシネ変換された映像信号であるか否かを検出するテレシネ変換信号検出手段と、
前記テレシネ変換信号検出手段の検出結果に応じて前記入力映像信号をプログレッシブ変換するＩＰ変換手段と、
前記入力映像信号のノイズレベルを検出するノイズレベル検出手段と、
前記ノイズレベル検出手段の検出結果に基づき、ノイズレベルが所定以上のレベルである場合には、前記テレシネ変換信号検出手段の検出処理をオフさせる制御手段と、
を備えたことを特徴とする映像信号処理装置。
【請求項２】
請求項１に記載の映像信号処理装置において、
前記ノイズレベル検出手段は、ノイズの値によって複数の段階に切り替わるノイズレベルを検出し、且つ、ノイズの値が増大していくときに前記ノイズレベルの段階を切り替えるノイズの値よりも、ノイズの値が減少していくときに前記ノイズレベルの段階を切り替えるノイズの値のほうを低く設定している
ことを特徴とする映像信号処理装置。
【請求項３】
入力映像信号がテレシネ変換された映像信号であるか否かを検出するテレシネ変換信号検出手段と、
前記テレシネ変換信号検出手段の検出結果に応じて前記入力映像信号をプログレッシブ変換するＩＰ変換手段と、を有し、
前記ＩＰ変換手段によってプログレッシブ変換された映像信号を表示する画像表示装置において、
前記入力映像信号のノイズレベルを検出するノイズレベル検出手段と、
前記ノイズレベル検出手段の検出結果に基づき、ノイズレベルが所定以上のレベルである場合には、前記テレシネ変換信号検出手段の検出処理をオフさせる制御手段と、  を備えたことを特徴とする画像表示装置。
【請求項４】
請求項３に記載の画像表示装置において、
前記ノイズレベル検出手段は、ノイズの値によって複数の段階に切り替わるノイズレベルを検出し、且つ、ノイズの値が増大していくときに前記ノイズレベルの段階を切り替えるノイズの値よりも、ノイズの値が減少していくときに前記ノイズレベルの段階を切り替えるノイズの値のほうを低く設定している
ことを特徴とする画像表示装置。
【発明の詳細な説明】
【技術分野】
【０００１】
発明は、映画フィルムをソースとするインターレース方式の映像信号等にプログレッシブ変換等の処理を施す映像信号処理装置や、そうした映像信号処理装置を搭載した画像表示装置に関する。
【背景技術】
【０００２】
現在、テレビジョン受信装置等においてインターレース方式の映像信号をプログレッシブ変換するＩＰ変換部には、その映像信号のソースが映画フィルムであるかビデオカメラであるかを検出して、ソースに適したＩＰ変換処理を行ない、より高画質な表示を行う機能が多く採用されている。さらに、最近では、映画フィルムをソースとする映像信号（以下、フィルム信号とも呼ぶ）の場合には、ＩＰ変換処理の後、動き補償によるフレームレート変換処理を施すことによって、画像のよりスムーズな動きが実現されている。（例えば、特許文献１参照。）
【０００３】
図５及び図６は、フィルム信号を検出するための処理を示す。このうち図５は、５０ＨｚのＰＡＬ信号（５７６ｉ）に変換する２：２プルダウン処理を施された２：２フィルム信号を検出するための処理を示す。２：２フィルム信号では、フィルムの１コマをＯｄｄ（奇数）フィールドとＥｖｅｎ（偶数）フィールドとに分割することにより、同じコマから２フィールドが生成されている。そこで、入力信号と、入力信号を１フィールド遅延させた信号とのフィールド毎の差分を取ると、同じコマ同士の差分と異なるコマの差分とが交互に計算されるため、動画の場合は差分が０，１，０，１，…と交互に変化するので、２：２フィルム信号であることが検出される。
【０００４】
図６は、６０ＨｚのＮＴＳＣ信号（４８０ｉ）に変換する３：２プルダウン処理を施された３：２フィルム信号を検出するための処理を示す。３：２フィルム信号では、３フィールドが同じフィルムのコマから生成され、次は２フィールドが同じコマから生成されるという状態が、交互に続いている。そこで、入力信号と、入力信号を２フィールド遅延させた信号とのフィールド毎の差分を取ると、５フィールド毎に、同じフィールド同士の差分が計算されて差分が０になるので、３：２フィルム信号であることが検出される。
【０００５】
図７は、２：２フィルム信号を例にとって、動き補償によるフレームレート変換処理を示す。図７（ａ）に示すような２：２フィルム信号（５０ＨｚのＰＡＬ信号（５７６ｉ））を、図７（ｂ）に示すようなＯｄｄフィールドとＥｖｅｎフィールドとを加算するＩＰ変換処理（２：２プルダウンリバース処理）によって２５Ｈｚのプログレッシブ信号に変換した後、図７（ｃ）に示すように、１フィールド置きに動きベクトルを検出し、動き補償によってその中間のフィールドを補間することにより、２５Ｈｚから５０Ｈｚにフレームレート変換する。このフレームレート変換により、表示される画像の動きがスムーズになる。
【０００６】
【特許文献１】特開２００４−３４３３３３号公報
【発明の開示】
【発明が解決しようとする課題】
【０００７】
ところが、例えば受信アンテナからテレビジョン受信装置に送られるＲＦ信号の電界強度が弱まることなどによってＳ／Ｎ比が悪くなった状態で図５や図６に示したようなフィルム信号検出処理を行なうと、差分を取った場合に、本来は同じコマから生成されているのでゼロになるべきフィールドでもランダムノイズの影響で差分を生じてしまうことにより、検出に誤動作が発生することがある。こうした誤動作が発生すると、フィルム信号の検出結果が不安定となることにより、フィルム信号であるにも拘らず、フィルム信号用のＩＰ変換処理と通常のカメラ信号（ビデオカメラがソースである映像信号）用のＩＰ変換処理とが頻繁に切り替えられる状態となり、画像が見苦しくなるという問題が発生する。
【０００８】
また、このようにフィルム検出結果が不安定となると、図７（ｃ）に示したようなフレームレート変換処理が頻繁にオンとオフとに切り替えられる状態となるので、画像が一層見苦しくなる。さらに、ノイズレベルが高くなると、動きベクトル検出そのものにも誤動作が生じて正確なベクトルの検出ができなくなり、画面に破綻が発生してしまうなどの問題が発生する。
【０００９】
本発明は、上述の点に鑑み、２：２フィルム信号や２：３フィルム信号等のような、元画像を所定のシーケンスに基づいて配置することによってテレビジョン映像信号のフレームレートと整合をとるように変換（本願書類では、元画像が映画，アニメーション，コンピュータグラフィックスのいずれである場合にも「テレシネ変換」と呼ぶことにする）された映像信号にプログレッシブ変換処理やフレームレート変換処理を施す際に、映像信号中のノイズの影響による画質の低下の問題を改善することを課題とする。
【課題を解決するための手段】
【００１０】
上記課題を解決するため、本発明に係る映像信号処理装置は、入力映像信号がテレシネ変換された映像信号であるか否かを検出するテレシネ変換信号検出手段と、このテレシネ変換信号検出手段の検出結果に応じてこの入力映像信号をプログレッシブ変換するＩＰ変換手段と、この入力映像信号のノイズレベルを検出するノイズレベル検出手段と、このノイズレベル検出手段の検出結果に基づき、ノイズレベルが所定以上のレベルである場合には、このテレシネ変換信号検出手段の検出処理をオフさせる制御手段とを備えたことを特徴とする。
【００１１】
この映像信号処理装置は、入力映像信号がテレシネ変換された映像信号であるか否かの検出結果に応じたプログレッシブ変換処理を入力映像信号に施すものであるが、入力映像信号のノイズレベルが検出され、このノイズレベルが大きい場合には、テレシネ変換信号検出手段の検出処理がオフされる。
【００１２】
その結果、入力映像信号のノイズレベルが大きい場合、ＩＰ変換手段では、テレシネ変換された映像信号用のプログレッシブ変換処理が行われなくなる。これにより、入力映像信号のノイズレベルが大きい場合に、テレシネ変換された映像信号の検出の誤動作を原因としてテレシネ変換された映像信号用のプログレッシブ変換処理と通常のカメラ信号用のプログレッシブ変換処理とが頻繁に切り替えられることによる画質の低下が抑制される。
【００１３】
また、本発明に係る画像表示装置は、入力映像信号がテレシネ変換された映像信号であるか否かを検出するテレシネ変換信号検出手段と、このテレシネ変換信号検出手段の検出結果に応じてこの入力映像信号をプログレッシブ変換するＩＰ変換手段とを有し、このＩＰ変換手段によってプログレッシブ変換された映像信号を表示する画像表示装置において、この入力映像信号のノイズレベルを検出するノイズレベル検出手段と、このノイズレベル検出手段の検出結果に基づき、ノイズレベルが所定以上のレベルである場合には、このテレシネ変換信号検出手段の検出処理をオフさせる制御手段と、を備えたことを特徴とする。
【００１４】
この画像表示装置は、それぞれ前述の本発明に係る映像信号処理装置を搭載して、テレシネ変換された映像信号にプログレッシブ変換処理を施して表示するものであり、入力映像信号のノイズレベルが大きい場合に、テレシネ変換された映像信号の検出の誤動作を原因としてテレシネ変換された映像信号用のプログレッシブ変換処理と通常のカメラ信号用のプログレッシブ変換処理とが頻繁に切り替えられることによる画質の低下が抑制され、あるいは、テレシネ変換された映像信号の検出の誤動作を原因としてフレームレート変換処理が頻繁にオンとオフとに切り替えられることによる画質の低下が抑制されるとともに動きベクトル検出の誤動作による画面の破綻が防止される。
【発明の効果】
【００１５】
本発明によれば、入力映像信号に対してテレシネ変換された映像信号であるか否かの検出結果に応じたプログレッシブ変換処理を施し、さらに、テレシネ変換された映像信号に対してはプログレッシブ変換処理の後フレームレート変換処理を施す際に、入力映像信号のノイズレベルが大きい場合、テレシネ変換された映像信号の検出の誤動作を原因としてフレームレート変換処理が頻繁にオンとオフとに切り替えられることによる画質の低下を抑制することや、動きベクトル検出の誤動作による画面の破綻を防止することができるという効果が得られる。
【図面の簡単な説明】
【００１６】
【図１】本発明を適用したテレビジョン受信装置の構成を示すブロック図である。
【図２】ノイズレベルの検出結果を例示する図である。
【図３】リモートコントローラで選択可能なモードを示す図である。
【図４】マイクロコンピュータによるモード切り替え処理を示す図である。
【図５】フィルム信号を検出するための処理を示す図である。
【図６】フィルム信号を検出するための処理を示す図である。
【図７】動き補償によるフレームレート変換処理を示す図である。
【発明を実施するための形態】
【００１７】
以下、本発明をテレビジョン受信装置に適用した例について、図面を用いて具体的に説明する。図１は、本発明を適用したテレビジョン受信装置の主要部の構成を示すブロック図である。図示しない受信アンテナからフロントエンド１に送られるＲＦ信号に基づき、フロントエンド１で選局・復調され、クロマデコーダ２でＹ／Ｃ分離処理やクロマデコード処理を施されたインターレース方式の映像信号（ＮＴＳＣ信号（４８０ｉ），ＰＡＬ信号（５７６ｉ）またはＨＤＴＶ信号（１０８０ｉ））が、ノイズレベル検出回路３，ＩＰ変換回路４、フィルム信号検出回路５にそれぞれ送られる。
【００１８】
フィルム信号検出回路５は、図５や図６に示した検出方法により、入力映像信号が２：２フィルム信号や２：３フィルム信号であるか否かを検出する回路である。フィルム信号検出回路５からは、検出結果を示す信号（入力映像信号が２：２フィルム信号，３：２フィルム信号，通常のカメラ信号のうちのいずれであるかを示す信号）がＩＰ変換回路４及びフレームレート変換回路６に送られる。
【００１９】
ＩＰ変換回路４は、インターレース方式の入力映像信号をプログレッシブ変換するＩＰ変換処理を行う回路であり、フィルム信号検出回路５の検出結果が２：２フィルム信号または３：２フィルム信号であればフィルム信号用のＩＰ変換処理（例えば２：２フィルム信号では図７（ｂ）に示したようなプルダウンリバース処理）を行い、他方、フィルム信号検出回路５の検出結果が通常のカメラ信号であれば通常のカメラ信号用のＩＰ変換処理を行う。ＩＰ変換回路４でプログレッシブ変換された映像信号（ＮＴＳＣ信号（４８０ｐ），ＰＡＬ信号（５７６ｐ）またはＨＤＴＶ信号（１０８０ｐ））は、フレームレート変換回路６に送られる。
【００２０】
フレームレート変換回路６は、フィルム信号検出回路５の検出結果が２：２フィルム信号または３：２フィルム信号である場合に、ＩＰ変換回路４でプログレッシブ変換された映像信号に対し、動き補償による２５Ｈｚから５０Ｈｚへのフレームレート変換処理（例えば２：２フィルム信号では図７（ｃ）に示したような処理）を施す回路である。フィルム信号検出回路５の検出結果が通常のカメラ信号であれば、フレームレート変換回路６ではフレームレート変換を行わない。
【００２１】
フレームレート変換回路６から出力された映像信号は表示駆動回路８に送られ、表示駆動回路８によってディスプレイ（例えばＬＣＤ）９が駆動されて画像が表示される。
【００２２】
ノイズレベル検出回路３は、入力映像信号のノイズレベルを検出する回路である。ノイズレベル検出回路３は、例えば、入力映像信号の垂直ブランキング区間内の等価パルス区間の１水平ラインのペデスタル部分のノイズ情報（ＡＣ成分）を検出し、このＡＣ成分にフィールド単位でカットオフ周波数約１６０Ｈｚのフィルタをかけた電圧を、ノイズ値ＹＮＬＶとして検出する。そして、このノイズ値ＹＮＬＶによって８段階に切り替わるノイズレベルＳＮＬＶ０〜ＳＮＬＶ７（ＳＮＬＶ０が最もノイズレベルの小さい段階、ＳＮＬＶ７が最もノイズレベルの大きい段階）を検出する。
【００２３】
図２は、このノイズレベルＳＮＬＶ０〜ＳＮＬＶ７の検出結果を例示する図であり、図２（ａ）は、受信アンテナからのＲＦ信号の電界強度Ｌｅｖｅｌ＿ ｄＢｕが弱くなっていくことによってノイズ値ＹＮＬＶが増大していくときの検出結果、図２（ｂ）は、逆にこのＲＦ信号の電界強度Ｌｅｖｅｌ＿ｄＢｕが強くなっていくことによってノイズ値ＹＮＬＶが減少していくときの検出結果である。
【００２４】
図２（ａ）に示すように、電界強度Ｌｅｖｅｌ＿ｄＢｕが弱くなっていくときには、ノイズ値ＹＮＬＶが１０以上（電界強度Ｌｅｖｅｌ＿ｄＢｕが７０ｄＢｕ以下）になるとノイズレベルＳＮＬＶを１に切り替え（それまではノイズレベルＳＮＬＶは０である）、ノイズ値ＹＮＬＶが２０以上（電界強度Ｌｅｖｅｌ＿ｄＢｕが６５ｄＢｕ以下）になるとノイズレベルＳＮＬＶを２に切り替え、ノイズ値ＹＮＬＶが３０以上（電界強度Ｌｅｖｅｌ＿ｄＢｕが６２ｄＢｕ以下）になるとノイズレベルＳＮＬＶを３に切り替え、ノイズ値ＹＮＬＶが５０以上（電界強度Ｌｅｖｅｌ＿ｄＢｕが５８ｄＢｕ以下）になるとノイズレベルＳＮＬＶを４に切り替え、ノイズ値ＹＮＬＶが７０以上（電界強度Ｌｅｖｅｌ＿ｄＢｕが５５ｄＢｕ以下）になるとノイズレベルＳＮＬＶを５に切り替え、ノイズ値ＹＮＬＶが１００以上（電界強度Ｌｅｖｅｌ＿ｄＢｕが５０ｄＢｕ以下）になるとノイズレベルＳＮＬＶを６に切り替え、ノイズ値ＹＮＬＶが１５０以上（電界強度Ｌｅｖｅｌ＿ｄＢｕが３５ｄＢｕ以下）になるとノイズレベルＳＮＬＶを７に切り替える。
【００２５】
これに対し、電界強度Ｌｅｖｅｌ＿ｄＢｕが強くなっていくときには、図２（ｂ）に示すように、ノイズ値ＹＮＬＶが１５０以下（電界強度Ｌｅｖｅｌ＿ｄＢｕが３５ｄＢｕ以上）になってもノイズレベルＳＮＬＶを７から６に切り替えず、ノイズ値ＹＮＬＶが１５０よりも小さい１２０以下（電界強度Ｌｅｖｅｌ＿ｄＢｕが４４ｄＢｕ以上）になってはじめてノイズレベルＳＮＬＶを７から６に切り替える。また、ノイズ値ＹＮＬＶが１００以下（電界強度Ｌｅｖｅｌ＿ｄＢｕが５０ｄＢｕ以上）になってもノイズレベルＳＮＬＶを６から５に切り替えず、ノイズ値ＹＮＬＶが１００よりも小さい８４以下（電界強度Ｌｅｖｅｌ＿ｄＢｕが５３ｄＢｕ以上）になってはじめてノイズレベルＳＮＬＶを６から５に切り替える。同様にして、ノイズレベルＳＮＬＶを４，３，２，１，０に切り替えるノイズ値ＹＮＬＶも、電界強度Ｌｅｖｅｌ＿ｄＢｕが弱くなっていくときよりもそれぞれ低く設定している。
【００２６】
このように、ノイズレベル検出回路３によって検出されるノイズレベルは、受信アンテナからのＲＦ信号の電界強度が弱くなっていく（ノイズの値が増加していく）ときよりもこのＲＦ信号の電界強度が強くなっていく（ノイズの値が減少していく）ときのほうが良好な段階に回復しにくいというヒステリシス特性を持っている。
【００２７】
図１に示すように、ノイズレベル検出回路３からは、このノイズレベルの検出結果がマイクロコンピュータ７に送られる。なお、図１ではノイズレベル検出回路３はクロマデコーダ２とは別に設けられているが、クロマデコーダ２内にノイズレベル検出回路３を設けてもよい。
【００２８】
図示は省略するが、このテレビジョン受信装置のリモートコントローラには、ユーザがフィルム信号検出処理やＩＰ変換処理やフレームレート変換処理のモードを組み合わせて選択するための操作部が設けられている。図３は、リモートコントローラで選択可能なモードの組み合わせ例を示す図である。リモートコントローラでは、モード１〜モード４の４通りのモードを選択可能である。
【００２９】
モード１は、フィルム信号の検出処理をオフさせるモードである。このモード１では、フィルム信号検出回路５からは、入力映像信号がカメラ信号であることを示す検出結果がＩＰ変換回路４及びフレームレート変換回路６に送られる。したがって、ＩＰ変換回路４ではフィルム信号用のＩＰ変換処理（プルダウンリバース処理）は行われずに常に通常のカメラ信号用のＩＰ変換処理が行われ、フレームレート変換回路６ではフレームレート変換処理が行われない。
【００３０】
モード２は、フィルム信号検出回路５の検出感度を制御するパラメータを「フィルム検出２」に設定し、ＩＰ変換回路４のフィルム信号用のＩＰ変換処理（プルダウンリバース処理）をオンにし、フレームレート変換回路６のフレームレート変換処理をオフにするモードである。このモード２では、フィルム信号検出回路５でフィルム信号が検出されればＩＰ変換回路４でフィルム信号用のＩＰ変換処理が行われるが、フレームレート変換回路６ではフレームレート変換処理は行われない。
【００３１】
ここで、フィルム信号検出回路５の検出感度を制御するパラメータについて説明する。フィルム信号（特に２：２フィルム信号）の検出は、動きの激しいシーンなどでは、図５に示したフィールド差分の特徴が顕著に検出されるため安定して検出可能であるが、動きが少ないシーンなどでは、フィールド差分の特徴が検出しづらくなる。したがって、全てのシーンで誤動作なくフィルム検出することは難しい。そこで、フィルム信号の検出感度を制御するパラメータが存在している。ここでは、次の「フィルム検出１」，「フィルム検出２」の２種類のパラメータのうちのいずれをフィルム信号検出回路５に設定するかを、図３のモードに応じて切り替えるようにしている。
【００３２】
「フィルム検出１」：フィルム信号を検出しやすく、一旦フィルム信号を検出した後はフィルム信号ではないと検出しにくくする（検出感度を強くする）パラメータである。そのようなパラメータの具体例としては、次のようなものが挙げられる。
・図５や図６に示したようにフィールド毎の差分を取った際に差分が０か１かを判別するためのスレッショルドレベルを、図５のように０，１，０，１，…と交互に変化したり図６のように５フィールド毎に０になりやすいレベルに設定するパラメータ。
・２：２フィルム信号について０と１とを何回交互に繰り返したときに２：２フィルム信号と判定し、３：２フィルム信号について５フィールド毎に何回０になったときに３：２フィルム信号と判定するかのカウント値を小さくするパラメータ。
【００３３】
「フィルム検出２」：「フィルム検出１」とは逆に、フィルム信号を検出しにくく、一旦フィルム信号を検出した後もフィルム信号ではないと検出しやすくする（検出感度を弱くする）パラメータである。
【００３４】
したがって、図３において、モード２では、パラメータを「フィルム検出２」に設定するので、フィルム信号検出回路５の検出感度が弱くなり、したがってＩＰ変換回路４ではフィルム信号用のＩＰ変換処理が行われにくくなる。
【００３５】
モード３は、フィルム信号検出回路５の検出感度を制御するパラメータを「フィルム検出２」に設定し、ＩＰ変換回路４のフィルム信号用のＩＰ変換処理（プルダウンリバース処理）をオンにし、フレームレート変換回路６のフレームレート変換処理もオンにするモードである。このモード３では、フィルム信号検出回路５でフィルム信号が検出されれば、ＩＰ変換回路４でフィルム信号用のＩＰ変換処理が行われるとともにフレームレート変換回路６でフレームレート変換処理が行われる。しかし、フィルム信号検出回路５の検出感度が弱くなるので、ＩＰ変換回路４ではフィルム信号用のＩＰ変換処理が行われにくくなり、フレームレート変換回路６でもフレームレート変換処理が行われにくくなる。
【００３６】
モード４は、フィルム信号検出回路５の検出感度を制御するパラメータを「フィルム検出１」に設定し、ＩＰ変換回路４のフィルム信号用のＩＰ変換処理（プルダウンリバース処理）をオンにし、フレームレート変換回路６のフレームレート変換処理もオンにするモードである。このモード４では、フィルム信号検出回路５でフィルム信号が検出されれば、ＩＰ変換回路４でフィルム信号用のＩＰ変換処理が行われるとともにフレームレート変換回路６でフレームレート変換処理が行われる。そして、フィルム信号検出回路５の検出感度が強くなるので、ＩＰ変換回路４ではフィルム信号用のＩＰ変換処理が行われやすくなり、フレームレート変換回路６でもフレームレート変換処理が行われやすくなる。
【００３７】
図１に示すように、マイクロコンピュータ７には、リモートコントローラからのこのモード１〜モード４の選択結果を示す信号が、図示しない赤外線受光ユニット等を介して供給される。
【００３８】
マイクロコンピュータ７には、このユーザによるモード１〜モード４の選択結果と、ノイズレベル検出回路３によるノイズレベルＳＮＬＶ０〜ＳＮＬＶ７の検出結果とに基づき、図４に示すように、ダイナミックにモードを切り替えてＩＰ変換回路４，フィルム信号検出回路５及びフレームレート変換回路６を制御する。すなわち、ノイズレベルがＳＮＬＶ０またはＳＮＬＶ１である場合（ＲＦ信号の電界強度が強く、ノイズレベルが小さい段階）では、ユーザが選択したモード１〜モード４にそのまま従って、ＩＰ変換回路４の制御と、フィルム信号検出回路５の検出感度の制御（パラメータの切り替えや検出処理のオフ）と、フレームレート変換回路６のフレームレート変換処理のオン／オフ制御とを行う。なお、図では、ＩＰ変換回路４への制御信号線は図示を省略している（モード１でもモード２〜モード４と同じくＩＰ変換回路４のプルダウンリバース処理をオンにしていても、フィルム信号が検出されないので、フィルム信号用のＩＰ変換処理が行われることはない）。
【００３９】
ノイズレベルがＳＮＬＶ２，ＳＮＬＶ３，ＳＮＬＶ４またはＳＮＬＶ５である場合（ＲＦ信号の電界強度が中程度であり、ノイズレベルが中程度である段階）では、ユーザがモード１またはモード２を選択した場合にはそのモードに従ってＩＰ変換回路４の制御とフィルム信号検出回路５の検出感度の制御とフレームレート変換回路６のフレームレート変換処理のオン／オフ制御とを行うが、ユーザがモード３またはモード４を選択した場合には強制的にモード２でＩＰ変換回路４の制御とフィルム信号検出回路５の検出感度の制御とフレームレート変換回路６のフレームレート変換処理のオン／オフ制御とを行う。したがって、この場合には、フレームレート変換回路６ではフレームレート変換処理が行われず、また、フィルム信号の検出感度が弱くなるので、ＩＰ変換回路４でもフィルム信号用のＩＰ変換処理が行われにくくなる。
【００４０】
ノイズレベルがＳＮＬＶ６またはＳＮＬＶ７である場合（ＲＦ信号の電界強度が弱く、ノイズレベルが大きい段階）では、ユーザがモード１〜モード４のどのモードを選択した場合にも、強制的にモード１でＩＰ変換回路４の制御とフィルム信号検出回路５の検出感度の制御とフレームレート変換回路６のフレームレート変換処理のオン／オフ制御とを行う。したがって、この場合には、ＩＰ変換回路４ではフィルム信号用のＩＰ変換処理は行われずに常に通常のカメラ信号用のＩＰ変換処理が行われ、フレームレート変換回路６でもフレームレート変換処理が行われない。
【００４１】
このようなダイナミックなモード切り替えを行なうことにより、以下の（１）〜（３）のような効果が得られる。
（１）ＲＦ信号の電界強度が弱い段階や中程度の段階では、フレームレート変換回路６で動き補償によるフレームレート変換処理が行われないので、フィルム信号検出の誤動作を原因としてフレームレート変換処理が頻繁にオンとオフとに切り替えられることによる画質の低下が抑制されるとともに、動きベクトル検出の誤動作による画面の破綻が防止される
【００４２】
（２）ＲＦ信号の電界強度が中程度の段階では、フィルム信号が検出されにくくなるので、ＩＰ変換回路４ではフィルム信号用のＩＰ変換処理が行われにくくなる。これにより、フィルム信号検出の誤動作を原因としてフィルム信号用のＩＰ変換処理と通常のカメラ信号用のＩＰ変換処理とが頻繁に切り替えられることによる画質の低下が抑制される。
【００４３】
（３）ＲＦ信号の電界強度が弱い段階では、フィルム信号の検出処理が行われないので、ＩＰ変換回路４ではフィルム信号用のＩＰ変換処理は行われずに常に通常のカメラ信号用のＩＰ変換処理が行われる。これにより、フィルム信号検出の誤動作を原因としてフィルム信号用のＩＰ変換処理と通常のカメラ信号用のＩＰ変換処理とが頻繁に切り替えられることによる画質の低下が抑制される。
【００４４】
なお、図２に示したように、ノイズレベルＳＮＬＶ０〜ＳＮＬＶ７は、ＲＦ信号の電界強度が弱くなっていく（ノイズの値が増加していく）ときよりもＲＦ信号の電界強度が強くなっていく（ノイズの値が減少していく）ときのほうが良好な段階に回復しにくいというヒステリシス特性を持っている。したがって、ＲＦ信号の電界強度が弱くなっていくことによってマイクロコンピュータ７の制御が図４の左側のモードから右側のモードに移っていく場合よりも、その後ＲＦ信号の電界強度が強くなっていくことによってマイクロコンピュータ７の制御が図４の右側のモードから左側のモードに戻っていく場合のほうが、モードの切り替えが起こりにくくなっている。これにより、一旦ＲＦ信号の電界強度が弱くなった後は、十分に電界強度が強くなるまで、画質の低下を抑制するためのモード（モード１やモード２）が維持される。
【００４５】
以上の例では、フィルム信号（映画フィルムをソースとする映像信号）を検出してプログレッシブ変換処理やフレームレート変換処理を施す例について説明した。しかし、本発明が検出処理・プログレッシブ変換処理・フレームレート変換処理の対象とする映像信号は、映画やアニメーションやコンピュータグラフィックスといったような元画像を所定のシーケンスに基づいて配置することによってテレビジョン映像信号のフレームレートと整合をとるように変換（テレシネ変換）した映像信号であれば、如何なるものであっても構わない。
【００４６】
また、以上の例では、テレビジョン受信装置に本発明を適用している。しかし、本発明に係る画像表示装置は、テレビジョン受信装置以外にも、例えば、テレビジョン放送の受信機能を有するパーソナルコンピュータにも適用してよい。また、本発明に係る映像処理装置は、例えば、テレビジョン放送を受信して録画・再生する記録再生装置（ＤＶＤレコーダやＨＤＤレコーダ等）にも搭載してよい。
【符号の説明】
【００４７】
１・・・フロントエンド、 ２・・・クロマデコーダ、 ３・・・ノイズレベル検出回路、 ４・・・ＩＰ変換回路、 ５・・・フィルム信号検出回路、 ６・・・フレームレート変換回路、 ７・・・マイクロコンピュータ、 ８・・・表示駆動回路、 ９・・・ディスプレイ
【図１】
0005265048.tif 000002
【図２】
0005265048.tif 000003
【図３】
0005265048.tif 000004
【図４】
0005265048.tif 000005
【図５】
0005265048.tif 000006
【図６】
0005265048.tif 000007
【図７】
0005265048.tif 000008